(57)【要約】      （修正有）【課題】単一の店舗内で景品交換率の異なる複数の遊技ゾーンを設けた場合であっても、低交換率の遊技媒体を高交換率の遊技媒体のように偽って遊技したり景品と交換されてしまうことを防止すると共に、景品交換所から提供される景品の一物一価を担保することのできる、パチンコ遊技機または回胴式遊技機等の遊技機が設置される遊技施設を提供する。【解決手段】ホール１は、単一の店舗内に交換率が異なる第１〜４遊技ゾーン２１、２２、２３、２４が、仕切壁３５、仕切壁３６、エントランスホール１８等で完全に独立して設けられ、さらに、各遊技ゾーン２１、２２、２３、２４に対応して、第１〜４景品交換所５１、５２、５３、５４と各遊技ゾーンを管理する第１〜４ホール管理コンピュータ６１、６２、６３、６４が設けられる。【選択図】図１
2014018419.tif 000002
【特許請求の範囲】
【請求項１】
単一の店舗内に景品交換率の異なる複数の遊技ゾーンを設け、該遊技ゾーン毎に所定数の遊技機が設置される遊技施設であって、
前記複数の遊技ゾーンは、その境界部分に遊技者の各遊技ゾーン間の行き来を不能にする仕切部が設けられると共に、各遊技ゾーンの景品交換率に対応する専用の景品交換所がそれぞれ設けられていることを特徴とする遊技施設。
【請求項２】
前記複数の遊技ゾーンは、各遊技ゾーンそれぞれに、各遊技ゾーンに設置された前記遊技機の稼働データを収集して該遊技ゾーンを管理する専用のホール管理コンピュータが設けられていることを特徴とする請求項１に記載の遊技施設。
【請求項３】
前記複数の遊技ゾーンそれぞれに設けられた前記ホール管理コンピュータを統括し、前記遊技施設全体を統一的に管理する統括ホール管理コンピュータが設けられていることを特徴とする請求項２に記載の遊技施設。
【請求項４】
前記複数の遊技ゾーンの境界部分に設けられる前記仕切部は、着脱自在または端側に移動可能に構成したことを特徴とする請求項１乃至請求項３の何れか１項に記載の遊技施設。
【請求項５】
前記複数の遊技ゾーンは、それぞれ前記遊技機を設置するスペースを異ならせたことを特徴とする請求項１乃至請求項４の何れか１項に記載の遊技施設。
【請求項６】
前記複数の遊技ゾーンの何れかは、禁煙コーナーまたは／及び女性専用コーナーとしたことを特徴とする請求項１乃至請求項５の何れか１項に記載の遊技施設。
【請求項７】
前記遊技機はパチンコ遊技機または回胴式遊技機であり、前記複数の遊技ゾーンは、パチンコ遊技ゾーンまたは回胴式遊技ゾーンであることを特徴とする請求項１乃至請求項６の何れか１項に記載の遊技施設。
【発明の詳細な説明】
【技術分野】
【０００１】
本発明は、パチンコ遊技機または回胴式遊技機等の遊技機が設置される遊技施設に関し、特に景品交換率の異なる複数の遊技ゾーンを備えた遊技施設に関する。
【背景技術】
【０００２】
従来より遊技施設（以下、ホールともいう）は、パチンコ遊技機や回胴式遊技機（以下、スロットマシーンともいう）が設置された島台を複数列設されたものが知られている。島台は、木材やスチール等の骨組みからなり、複数のパチンコ遊技機またはスロットマシーンの何れかを横並び状に背向列設し、これら列設した遊技機に対して、パチンコ遊技機の遊技媒体となるパチンコ玉や、スロットマシーンの遊技媒体となるメダルを補給したり回収したりする機能を有している。
【０００３】
ところで、これらのホールでは、通常、遊技で使用される遊技媒体は、一定の価格で遊技者に貸し出されており、一般的にパチンコ玉は１個４円、メダルは１枚２０円となっている。そして、遊技者は、この貸し出された遊技媒体を使用してパチンコ遊技機またはスロットマシーンにて遊技を行い、遊技の結果、獲得した遊技媒体を島台端部等に設けられる計数機で計数してレシート等と交換し、それを店舗内の景品交換所にて所定の景品交換率で所望の景品と交換するようになっている。
【０００４】
ここで、景品には、一般景品と特殊景品とがあり、特殊景品とは、後に店外の所定の換金所で換金可能な景品のことである。一般景品の交換率は、何れのホールであっても原則等価交換であって、パチンコ遊技機であれば獲得したパチンコ玉数に４円を乗じた金額、スロットマシーンであれば獲得したメダル数に２０円を乗じた金額に相当する景品と交換できるようになっている。これにより、ホールは、一般景品における、いわゆる一物一価を担保している。
【０００５】
一方、特殊景品の交換率（以下、単に「交換率」ともいう）は、各ホール毎で独自に定められており、例えばパチンコ玉であれば５０個で２００円の割合（４円／１個、等価（１０割）交換）や、８４個で２００円の割合（約２．４円／１個、６割交換）、メダルであれば１０枚で２００円の割合（２０円／１枚、等価（１０割）交換）や、１４枚で２００円の割合（約１４．３円／１枚、７割交換）といったように多種類ある。そして、この交換率は、例えばパチンコ玉は等価交換、メダルは７割交換というように、各ホール毎で、パチンコ玉及びメダル共に一種類のみに定められており、これは、各ホール毎の営業方針により決められていた。
【０００６】
つまり、交換率は、リスクが高くても大きな利益を得たいような遊技者を重視するホールは、ギャンブル性の高い（射倖性の高い）等価交換もしくはそれに近い交換率を、遊技の勝敗に拘らず遊技自体をなるべく少ない出費で長時間楽しみたいような遊技者を重視するホールは、ギャンブル性の低い（射倖性の低い）なるべく低い交換率を、設定するようにしていた。
【０００７】
そして、ホールは、自身の営業方針で営業が成り立つように、遊技者が遊技機で使った遊技媒体数に対する当該遊技機から払い出される遊技媒体数の割合を、交換率が高いほど相対的に低く、または交換率が低いほど相対的に高くなるように、パチンコ遊技機及びスロットマシーンを調整していた。即ち、ホールは、自身の営業方針に合った機種の選定や、釘の調節（パチンコ遊技機）、大当り確率の設定（スロットマシーン）等を行っていた。この理由は、パチンコ遊技機及びスロットマシーンは、交換率が何れに設定されても、その交換率に対応して仕様を変更することはできないからである。
【０００８】
しかして、最近では、遊技者の多様なニーズに答えるべく、１つのホールで、交換率を複数設定するところが現れている。以下、このようなホールＰ１について、図９を用いて説明する。図９は、一般的なホールＰ１を模式的に示した平面図である。ホールＰ１には、例えば、片面に２０台（両面に４０台）のパチンコ遊技機Ｐ６を設置するパチンコ島台Ｐ２、Ｐ３と、同様に片面に２０台（両面に４０台）のスロットマシーンＰ７を設置するスロット島台Ｐ４、Ｐ５が設置されている。
【０００９】
パチンコ島台Ｐ２に設置されているパチンコ遊技機Ｐ６から獲得した景品玉は、交換率が等価交換であり、パチンコ島台Ｐ３に設置されているパチンコ遊技機Ｐ６から獲得した景品玉は、交換率が６割交換で設定されている。図９に示すように、パチンコ島台Ｐ２は、ホールＰ１の左側に３つ平行に設置されており、パチンコ島台Ｐ３は、ホールＰ１の右側に３つ平行に設置されており、両者は、ホールＰ１の左右に対称状に形成されている。
【００１０】
スロット島台Ｐ４に設置されているスロットマシーンＰ７から獲得した景品メダルは、交換率が等価交換であり、スロット島台Ｐ５に設置されているスロットマシーンＰ７から獲得した景品メダルは、交換率が７割交換で設定されている。図９に示すように、スロット島台Ｐ４は、ホールＰ１の左手前側にパチンコ島台Ｐ２と平行に設置されており、スロット島台Ｐ５は、ホールＰ１の右手前側にパチンコ島台Ｐ３と平行に設置されており、両者は、ホールＰ１の左右に対称状に形成されている。
【００１１】
また、パチンコ島台Ｐ２、Ｐ３及びスロット島台Ｐ４、Ｐ５の一端部には、それぞれの交換率に対応した玉計数機Ｐ８、Ｐ９及びメダル計数機Ｐ１０、Ｐ１１が設けられている。なお、図中、Ｐ１２はトイレ、Ｐ１３は休憩室、Ｐ１４は飲食店等のテナント、Ｐ１５はホール管理コンピュータ等が設置される事務室、Ｐ１６は景品交換所、Ｐ１７は出入口であり、これらの設備は、ホールＰ１における共用スペースである。
【００１２】
このように構成されるホールＰ１では、等価交換のパチンコ島台Ｐ２のパチンコ遊技機Ｐ６で獲得した景品玉は玉計数機Ｐ８に、６割交換のパチンコ島台Ｐ３のパチンコ遊技機Ｐ６で獲得した景品玉は玉計数機Ｐ９に、等価交換のスロット島台Ｐ４のスロットマシーンＰ７で獲得した景品メダルはメダル計数機Ｐ１０に、７割交換のスロット島台Ｐ５のスロットマシーンＰ７で獲得した景品メダルはメダル計数機Ｐ１１に返却するように、遊技者に告知している。つまり、遊技者は、設定された交換率に対応した計数機Ｐ８、Ｐ９、Ｐ１０、Ｐ１１に、獲得した遊技媒体を返却するようになっていた。
【００１３】
しかしながら、図９に示したように、ホールＰ１は、通常の交換率が一種類しかないホールと同様な造りになっており、従って、交換率が異なるパチンコ島台Ｐ２とパチンコ島台Ｐ３の間、または交換率が異なるスロット島台Ｐ４とスロット島台Ｐ５の間を区画するような設計にはなっておらず、遊技者への告知は、簡易な掲示板や店内放送、ホールスタッフ等の対応で行っていた。
【００１４】
そのため、悪意の遊技者は、ホールスタッフや監視カメラ等の目を盗んで、低交換率のパチンコ島台Ｐ３のパチンコ遊技機Ｐ６で獲得した景品玉を、高交換率のパチンコ島台Ｐ２のパチンコ遊技機Ｐ６に持ち込んで遊技したりまたは玉計数機Ｐ８に返却したり、また、低交換率のスロット島台Ｐ５のスロットマシーンＰ７で獲得した景品メダルを、高交換率のスロット島台Ｐ４のスロットマシーンＰ７に持ち込んで遊技したりまたはメダル計数機Ｐ１０に返却したりという不正を容易に行うことができ、その結果、ホールＰ１の収益を圧迫する事態となっていた。
【００１５】
そこで、本出願人は、このような事態を解消するため、特許文献１、２に示す技術を提案した。以下、この特許文献１、２の技術について、図１０を用いて説明する。なお、図１０では、上記した図９に示した構成と同様な構成については同じ符号を付し、その説明は省略する。図１０は、特許文献１、２のホールＰ２０を模式的に示した平面図である。ホールＰ２０は、単一の店舗内に第１〜４遊技ゾーンＰ２１、Ｐ２２、Ｐ２３、Ｐ２４が設けられている。
【００１６】
第１遊技ゾーンＰ２１には、交換率が等価交換のパチンコ遊技機Ｐ６が設置されたパチンコ島台Ｐ２及びその交換率に対応した玉計数機Ｐ８が設置され、第２遊技ゾーンＰ２２には、交換率が６割交換のパチンコ遊技機Ｐ６が設置されたパチンコ島台Ｐ３及びその交換率に対応した玉計数機Ｐ９が設置され、第３遊技ゾーンＰ２３には、交換率が等価交換のスロットマシーンＰ７が設置されたスロット島台Ｐ４及びその交換率に対応したメダル計数機Ｐ１０が設置され、第４遊技ゾーンＰ２４には、交換率が７割交換のスロットマシーンＰ７が設置されたスロット島台Ｐ５及びその交換率に対応したメダル計数機Ｐ１１が設置されている。
【００１７】
即ち、ホールＰ２０は、単一の店舗内に、交換率の異なる複数の遊技ゾーンＰ２１、Ｐ２２、Ｐ２３、Ｐ２４が、パチンコ遊技機Ｐ６とスロットマシーンＰ７毎に設けられている。なお、上記と同様に、図中、Ｐ１２はトイレ、Ｐ１３は休憩室、Ｐ１４は飲食店等のテナント、Ｐ１５はホール管理コンピュータ等が設置される事務室、Ｐ１６は景品交換所、Ｐ１７は出入口であり、これらの設備は、ホールＰ２０における共用スペースである。
【先行技術文献】
【特許文献】
【００１８】
【特許文献１】特開２００２−２１０２００号公報
【特許文献２】登録実用新案第３１２５５９４号公報
【発明の概要】
【発明が解決しようとする課題】
【００１９】
確かに、特許文献１、２の技術では、単一の店舗内でパチンコ遊技機とスロットマシーン毎に交換率の異なる島台及びそれに対応する計数機が区画して配置されているので、このような造りのホールＰ２０によれば、上記した通常の造りのホールＰ１に比して、低交換率の島台に設置されている遊技機で獲得した遊技媒体を、高交換率の遊技機に持ち込んで遊技したり高交換率の計数機に返却したりするような上記不正は、容易に行うことができずに減少する可能性が高くなる。
【００２０】
しかしながら、ホールＰ２０において第１〜４遊技ゾーンＰ２１、Ｐ２２、Ｐ２３、Ｐ２４の境界部分には、図１０に示すように、遊技機に係わる情報等を表示する表示パネルＰ２５はあるものの、完全に壁などで仕切られているわけではないので、ホールＰ２０内の遊技者は、依然として自由に各ゾーンＰ２１、Ｐ２２、Ｐ２３、Ｐ２４を行き来できるようになっている。特に、最近の遊技形態では、獲得した景品玉や景品メダルをドル箱に入れて自由に島台間を行き来してもよいので、従って、ホールＰ２０のような構造であっても、悪意の遊技者による上記不正を根絶することは困難であり、ホールスタッフや監視カメラの監視等による対策も限界で、不十分となっている。
【００２１】
また、このような不正を根絶するために、交換率の異なる島台毎で遊技媒体の色を相違させる構成も考えられるが、斯かる構成では、例えば、島台毎で同色の遊技媒体を仕分けるシステムや、計数機で遊技媒体の色を識別する装置等にコストがかかり、さらに着色した遊技媒体の色が劣化して剥げ落ちてしまうという問題点もある。
【００２２】
また、スロットマシーンでは、予め使用するメダルの大きさが異なる（直径２５ｍｍ、３０ｍｍ）タイプがあるので、これを利用して交換率の異なる島台、即ち、交換率の異なる島台毎でメダルの大きさを相違させる構成にしてもよいが、斯かる構成では、ホールのスロットマシーンの選択肢が狭まり、ホールが所望するスロットマシーンを自由に購入して設置できず、その結果、営業方針に支障してしまうという問題点がある。
【００２３】
また、ホールＰ１、Ｐ２０では、共用スペースとして一つの景品交換所Ｐ１６が当然に設置さているが、このような構成のホールＰ１、Ｐ２０に交換率の異なる島台を設置した場合には、一物一価の観点からは、以下の理由から好ましくない。
【００２４】
即ち、上述したように、パチンコ玉は１個４円で貸し出されており、一方、交換率は等価交換（４円／１個、５０個で２００円の割合）、６割交換（約２．４円／１個、８４個で２００円の割合）となっているので、仮に遊技者が１０００円の特殊景品と交換したい場合には、等価交換では２５０個、６割交換では４２０個のパチンコ玉が必要となる。
【００２５】
しかし、パチンコ玉は１個４円なので、１０００円の特殊景品の実質的な価値は、等価交換では１０００円（４×２５０）、６割交換では１６８０円（４×４２０）となり、これにより、一つの景品交換所Ｐ１６から提供される１０００円の特殊景品における一物一価が担保されないことになり、これはメダルにおいても同様である。
【００２６】
つまり、従来のホールのように、パチンコ玉及びメダル共に一種類の交換率のみで営業していたときは、特殊景品の一物一価は担保されているが、このように単一の店舗内に交換率の異なる島台を設置すると、共用スペースとしての一つの景品交換所Ｐ１６では対応できず、特殊景品の一物一価が担保されないという問題点がある。
【００２７】
本発明は、上記したような課題を解決するためになされたもので、その目的とするところは、単一の店舗内で景品交換率の異なる複数の遊技ゾーンを設けた場合であっても、低交換率の遊技媒体を高交換率の遊技媒体のように偽って遊技したり景品と交換されてしまうことを防止すると共に、景品交換所から提供される景品の一物一価を担保することのできる、パチンコ遊技機または回胴式遊技機等の遊技機が設置される遊技施設を提供することにある。
【課題を解決するための手段】
【００２８】
この様な問題を解決するために、本発明の遊技施設は、請求項１に記載したように、単一の店舗内に景品交換率の異なる複数の遊技ゾーンを設け、該遊技ゾーン毎に所定数の遊技機が設置される遊技施設であって、前記複数の遊技ゾーンは、その境界部分に遊技者の各遊技ゾーン間の行き来を不能にする仕切部が設けられると共に、各遊技ゾーンの景品交換率に対応する専用の景品交換所がそれぞれ設けられていることを要旨とする。
【００２９】
従ってこのように構成される本発明の遊技施設においては、単一の店舗であっても、各遊技ゾーン毎で、恰も完全に独立した単独店舗のように営業を行うことが可能になるので、遊技者は、所望する遊技ゾーン、即ち所望する遊技機及び景品交換率を自由に選択して楽しむことができ、その結果、遊技者の利便性が極めて高くなる。
【００３０】
しかも、本発明の遊技施設では、遊技者は、自由に各遊技ゾーン間を行き来することができないので、低交換率の遊技媒体を高交換率の遊技媒体のように偽って遊技したり景品と交換されてしまうことを防止でき、その結果、遊技施設の収益性が著しく向上する。
【００３１】
さらに、複数の遊技ゾーンのそれぞれには、各遊技ゾーンの景品交換率に対応する専用の景品交換所が設けられているので、この景品交換所からから提供される特殊景品の実質的な価値は常に一定になり、その結果、特殊景品における一物一価が担保され、これにより遊技者に分かりやすい公正な営業を行うことができ、営業上極めて有益となる。
【００３２】
またさらに、本発明の遊技施設では、各遊技ゾーン毎に個別に休業することが可能になるので、各遊技ゾーン毎に定休日を設定したり、特定の遊技ゾーンのみ改修工事を行ったりすることができる。即ち、本発明の遊技施設は、遊技施設の経営にとって極めて使い勝手がよく、その結果、遊技施設の収益性が極めて向上するという顕著な効果を奏する。
【００３３】
また、請求項２に記載の遊技施設は、請求項１に記載の遊技施設において、前記複数の遊技ゾーンは、各遊技ゾーンそれぞれに、各遊技ゾーンに設置された前記遊技機の稼働データを収集して該遊技ゾーンを管理する専用のホール管理コンピュータが設けられていることを要旨とする。
【００３４】
従ってこのように構成される本発明の遊技施設においては、各遊技ゾーン毎に、各遊技ゾーンを管理する専用のホール管理コンピュータが設けられているので、この構成より、各遊技ゾーン単位で固有の各種の遊技や営業に係わる情報データを閲覧分析することが可能になる。その結果、各遊技ゾーン単位での営業戦略をたてることができるという顕著な効果を奏する。
【００３５】
そして、このように各遊技ゾーン毎に、各遊技ゾーンを管理する専用のホール管理コンピュータを設けた場合には、次のようにするとよい。即ち、請求項３に記載の遊技施設は、請求項２に記載の遊技施設において、前記複数の遊技ゾーンそれぞれに設けられた前記ホール管理コンピュータを統括し、前記遊技施設全体を統一的に管理する統括ホール管理コンピュータが設けられていることを要旨とする。
【００３６】
従ってこのように構成される本発明の遊技施設においては、各遊技ゾーンを管理する専用のホール管理コンピュータを統括し、遊技施設全体を統一的に管理する統括ホール管理コンピュータが設けられているので、この構成により、遊技施設全体の統一した各種の遊技や営業に係わる情報データを閲覧分析することが可能になる。その結果、各遊技ゾーン単位での営業戦略とは別に、遊技施設全体の包括的な営業戦略をたてることもできるという顕著な効果を奏する。
【００３７】
ここで、複数の遊技ゾーンの境界部分に設けられた遊技者の各遊技ゾーン間の行き来を不能にする仕切部の構成は種々考えられるが、例えば次のようにするとよい。即ち、請求項４に記載の遊技施設は、請求項１乃至請求項３の何れか１項に記載の遊技施設において、前記複数の遊技ゾーンの境界部分に設けられる前記仕切部は、着脱自在または端側に移動可能に構成したことを要旨とする。
【００３８】
従ってこのように構成される本発明の遊技施設においては、所定の遊技ゾーン同士を合体して新たに大きな遊技ゾーンを形成したり、逆に、所定の遊技ゾーンに仕切部を設けて遊技ゾーンの数を増やすことなどが容易にできるようになり、その結果、さらに遊技施設の使い勝手がよくなる。
【００３９】
また、請求項５に記載の遊技施設は、請求項１乃至請求項４の何れか１項に記載の遊技施設において、前記複数の遊技ゾーンは、それぞれ前記遊技機を設置するスペースを異ならせたことを要旨とする。従ってこのように構成される本発明の遊技施設においては、景品交換率や遊技機の人気、不人気に合わせて適宜各遊技ゾーンを使い分けることができ、その結果、さらに遊技施設の使い勝手がよくなる。
【００４０】
また、本発明の遊技施設は、請求項６に記載のように、前記複数の遊技ゾーンの何れかは、禁煙コーナーまたは／及び女性専用コーナーとして使用するようにしてもよいし、請求項７に記載のように、前記遊技機はパチンコ遊技機または回胴式遊技機とし、前記複数の遊技ゾーンは、パチンコ遊技ゾーンまたは回胴式遊技ゾーンとして使用するようにしてもよい。このように、本発明の遊技施設では、各遊技ゾーンを、遊技施設側が所望する態様で容易に特色を出すことができ、極めて使い勝手がよい。
【図面の簡単な説明】
【００４１】
【図１】本実施形態に係わるホール１を示した平面図である。
【図２】本実施形態に係わるホール１に設置されるパチンコ島台２、３の正面図である。
【図３】本実施形態に係わるパチンコ島台２、３に設置されるパチンコ遊技機６の正面図である。
【図４】本実施形態に係わるスロット島台４、５に設置されるスロットマシーン７の正面図である。
【図５】本実施形態に係わる第１〜４ホール管理コンピュータ６１、６２、６３、６４と、メインホール管理コンピュータ６５との関係を示す概略ブロック図である。
【図６】本実施形態に係わる玉計数機８、９、メダル計数機１０、１１から発行されるレシートの内容を説明する説明図である。
【図７】本実施形態に係わる各遊技ゾーン２１、２２、２３、２４の営業態様を説明するためのホール１を模式的に示した平面図である。
【図８】本実施形態に係わる各遊技ゾーン２１、２２、２３、２４の形成態様を説明するためのホール１を模式的に示した平面図である。
【図９】従来技術に係わる一般的なホールＰ１を模式的に示した平面図である。
【図１０】従来技術に係わる特許文献１、２のホールＰ２０を模式的に示した平面図である。
【発明を実施するための形態】
【００４２】
＜パチンコ島台２、３、スロット島台４、５の構成＞
以下に、本発明を実施するための形態を図を用いて説明する。図１は、本実施形態に係わるホール１を示した平面図、図２は、ホール１に設置されるパチンコ島台２、３の正面図、図３は、パチンコ島台２、３に設置されるパチンコ遊技機６の正面図、図４は、スロット島台４、５に設置されるスロットマシーン７の正面図である。まず、図２を参照しながら、パチンコ島台２、３について説明する。
【００４３】
パチンコ島台２、３は、その長手方向の片面または両面に多数（片面２０台、両面４０台）のパチンコ遊技機６を列設するもので、パチンコ遊技機６の間には、パチンコ遊技機６と１対１で対応するように台間ユニット４１が配置されており、パチンコ島台２、３の両端には、妻板４２が設けられ、この両端の妻板４２間には、パチンコ遊技機６の下部に位置するように板状のカウンター４３が形成されている。なお、台間ユニット４１は、遊技者が、現金やカード等により所定の対価を支払うことでパチンコ玉を１個４円で貸し出す玉貸機の機能を有している。
【００４４】
また、パチンコ島台２、３の上部には、パチンコ遊技機６と１対１で対応するように欄間４４が設けられており、この欄間４４は、パチンコ島台２、３に対して開閉自在に設けられ、例えばパチンコ島台１内部の補給樋や玉分離器が玉詰まりを起こしたときなどのトラブルに対処できるようになっている。
【００４５】
また、欄間４４の下方には、板状の幕板４５が設けられており、この幕板４５には、パチンコ遊技機６と１対１で対応するように呼出ランプ４６が設けられている。呼出ランプ４６は、パチンコ遊技機６にトラブルが発生したときなどに、遊技者の操作により点灯／点滅して店員を呼び出したり、パチンコ遊技機６が大当りしたときなどに自動で点灯／点滅して装飾効果を高めたりする。また、呼出ランプ４６は、対応するパチンコ遊技機６の稼働データを収集し、この収集した稼働データを後述する第１、第２ホール管理コンピュータ６１、６２に送信すると共に、この収集した稼働データに基づいて所定の遊技情報などを遊技者に報知する表示部を備えている。
【００４６】
また、妻板４２の上部には代表ランプ４７が設けられており、この代表ランプ４７は、通常時は、装飾効果を高めるために所定の態様で点灯しており、呼出ランプ４６が操作されたとき、またはパチンコ遊技機６が大当りしたときなどに所定の態様で点灯／点滅して店員にその旨を報知するようになっている。
【００４７】
また、パチンコ島台２、３の下部には、カウンター４３の下方に位置する板状の腰板４８が設けられており、さらに、この腰板４８と遊技場の床面との間には、板状の幅木４９が設けられている。また、パチンコ島台２、３の端部には、遊技者が獲得した景品玉を返却したときに、後述するレシート８１、８２を発行する玉計数機８、９が設けられている。
【００４８】
次に、スロットマシーン７を設置する図１に示すスロット島台４、５は、上述したパチンコ島台２、３に準じて構成されるので、その詳細な構成を示す図は省略するが、パチンコ島台２、３と異なる重要な点は次の通りである。即ち、スロットマシーン７と１対１で対応して設けられている呼出ランプ４６は、対応するスロットマシーン７の稼働データを収集し、この収集した稼働データを後述する第３、第４ホール管理コンピュータ６３、６４に送信する点と、スロット島台４、５の端部には、遊技者が獲得した景品メダルを返却したときに、後述するレシート８３、８４を発行するメダル計数機１０、１１が設けられている点である。なお、台間ユニット４１は、スロットマシーン７と対応する場合、遊技者が、現金やカード等により所定の対価を支払うことでメダルを１枚２０円で貸し出すメダル貸機の機能を有している。
【００４９】
また、上述したパチンコ島台２、３及びスロット島台４、５は、片面２０台、両面４０台のパチンコ遊技機６及びスロットマシーン７を列設するものを示したが、これは限定されることなく、適宜設置台数は変更可能である。
【００５０】
＜パチンコ遊技機６の構成＞
次に、図３を参照しながらパチンコ遊技機６の構成について説明する。パチンコ遊技機６は、パチンコ島台２、３に取り付けられる外枠２６と、この外枠２６に取り付けられた内枠２７とから構成されており、内枠２７には、遊技者にパチンコ遊技を提供する遊技盤２８が着脱自在に設けられ、その上部にはガラス扉枠２９、下部には皿ユニット３０が設けられている。
【００５１】
遊技盤２８には、図示していないが、演出図柄が回転する様子を示す擬似的な表示（スクロール表示）や所定の遊技状態（例えばリーチ）になったときに様々な演出表示を行う液晶表示ディスプレイ（ＬＣＤ）等で構成された演出図柄表示装置、演出図柄の変動表示を開始させる始動入賞口、演出図柄表示装置における表示結果が予め定められた態様（大当り）になった場合、遊技者に有利に開口される大入賞口（アタッカ）等が設けられており、これら始動入賞口や大入賞口にパチンコ玉が入賞すると、規定数の景品玉を払い出すように構成されている。
【００５２】
内枠２７に設けられた皿ユニット３０には、遊技者が操作することにより図示しない打球発射装置を作動させる打球操作ハンドル３１と、パチンコ玉を打球発射装置に供給するための打球供給皿３２と、打球供給皿３２に入りきらないパチンコ玉を貯留することができるとともに、図示しないドル箱にパチンコ玉を移動できるようになっている余剰玉受皿３３と、打球供給皿３２に設けられ、遊技者が所定の遊技状態になったときに操作するプッシュ式の演出ボタン３４等が設けられている。また、内枠２７の背面側には、図示しない電源装置、玉払出装置、メイン基板、中継基板等が取り付けられている。
【００５３】
＜スロットマシーン７の構成＞
次に、図４を参照しながらスロットマシーン７の構成について説明する。スロットマシーン７は、いわゆる３リール型のスロットマシーンであり、マシン内部に円筒外周面に沿ってそれぞれ異なる配置パターンで多種類の図柄が描かれた３つのリール７１ａ、７１ｂ、７１ｃを有している。このスロットマシーン７は、遊技者のスタート操作に基づいて３つのリール７１ａ、７１ｂ、７１ｃを同時に回転起動させた後、それぞれ個別の停止操作に基づいて各リール７１ａ、７１ｂ、７１ｃの回転を停止させ、停止後に表示される３つのリール７１ａ、７１ｂ、７１ｃの図柄の組み合わせが入賞図柄に該当するときに、その入賞状態に応じた枚数の景品メダルを払い出すように構成されている。
【００５４】
スロットマシーン７は、全体として上下に長い矩形箱状の筐体を有して構成されており、大別すると、スロット島台４、５に取り付けられる中空の本体枠７２と、この本体枠７２の一側にヒンジ等を介して開閉可能に取り付けられた前扉７３とから構成されている。本体枠７２の中空内部には、ホッパー、電源装置、メイン基板、中継基板等が取り付けられ、特にホッパーは、ゲーム結果にもとづいて遊技者にメダルを排出するものであり、メダル排出装置として機能する。
【００５５】
一方、前扉７３は、リール７１ａ、７１ｂ、７１ｃが臨む表示窓７４ａ、７４ｂ、７４ｃと、メダルを投入するためのメダル投入口７５と、リール７１ａ、７１ｂ、７１ｃを駆動させるためのスタートレバー７６と、リール７１ａ、７１ｂ、７１ｃを個別に停止可能な３個のストップスイッチ７７と、クレジットの切替スイッチ７８と、クレジットメダルの投入スイッチ７９等が設けられている。さらに、前扉２０は、その前面側の下部に、交換可能な装飾パネル７０と、ホッパーから排出されたメダルが貯留され、図示しないドル箱にメダルを移動できるようになっているメダル貯留皿８０が設けられている。
【００５６】
＜ホール１の構成＞
次に、図１を参照しながらホール１の構成について説明する。ホール１は、単一の店舗内に第１〜４遊技ゾーン２１、２２、２３、２４が設けられている。第１遊技ゾーン２１には、交換率が等価交換（４円／１個、５０個で２００円の割合）のパチンコ遊技機６が設置されたパチンコ島台２が複数並設され、トータルのパチンコ遊技機６の設置台数は、２１６台（片面１８台×２、両面３６台×５）となっている。また、パチンコ島台２の端部には、等価交換の交換率に対応した玉計数機８が、てれこ状に設置されている。
【００５７】
第２遊技ゾーン２２には、交換率が６割交換（約２．４円／１個、８４個で２００円の割合）のパチンコ遊技機６が設置されたパチンコ島台３が複数並設され、トータルのパチンコ遊技機６の設置台数は、３０８台（片面２２台×２、両面４４台×６）となっている。また、パチンコ島台３の端部には、６割交換の交換率に対応した玉計数機９が、てれこ状に設置されている。
【００５８】
第３遊技ゾーン２３には、交換率が等価交換（２０円／１枚、１０枚で２００円の割合）のスロットマシーン７が設置されたスロット島台４が複数並設され、トータルのスロットマシーン７の設置台数は、１６８台（片面１４台×２、両面２８台×５）となっている。また、スロット島台４の端部には、等価交換の交換率に対応したメダル計数機１０が、てれこ状に設置されている。
【００５９】
第４遊技ゾーン２４には、交換率が７割交換（約１４．３円／１枚、１４枚で２００円の割合）のスロットマシーン７が設置されたスロット島台５が複数並設され、トータルのスロットマシーン７の設置台数は、１９６台（片面１４台×２、両面２８台×６）となっている。また、スロット島台５の端部には、７割交換の交換率に対応したメダル計数機１１が、てれこ状に設置されている。
【００６０】
図１に示すように、ホール１の中央には、円形状のエントランスホール１８が設けられており、このエントランスホール１８とメイン出入口１７ａとの間には、エントランス通路１９が設けられている。また、エントランス通路１９の左側には休憩室１３が、右側には飲食店等のテナント１４が設けられており、１３ａ、１４ａは、休憩室１３、テナント１４の出入口となっている。
【００６１】
また、エントランスホール１８を挟んだエントランス通路１９と略反対側には、トイレ１２につながる通路３７が設けられている。なお、トイレ１２、休憩室１３、テナント１４、エントランスホール１８、エントランス通路１９、通路３７は、ホール１における共用スペースである。
【００６２】
ホール１の左端の略中央には、第１、３遊技ゾーン２１、２３に入店するための出入口１７ｂ、１７ｃが設けられており、この出入口１７ｂ、１７ｃの境界部には、エントランスホール１８に延びる仕切壁３５が設けられている。この仕切壁３５は、フロアから天井まで延びた第１遊技ゾーン２１と第３遊技ゾーン２３との境界を完全に遮断する壁である。なお、１７ｄは、第１遊技ゾーン２１に入店するための出入口である。
【００６３】
一方、ホール１の右端の略々中央には、第２、４遊技ゾーン２２、２４に入店するための出入口１７ｅ、１７ｆｃが設けられており、この出入口１７ｅ、１７ｆの境界部には、エントランスホール１８に延びる仕切壁３６が設けられている。この仕切壁３６は、フロアから天井まで延びた第２遊技ゾーン２２と第４遊技ゾーン２４との境界を完全に遮断する壁である。なお、１７ｇは、第２遊技ゾーン２２に入店するための出入口である。
【００６４】
つまり、ホール１は、外壁、仕切壁３５、仕切壁３６、エントランスホール１８等で完全に独立した４つの遊技ゾーン２１、２２、２３、２４が設けられており、第１遊技ゾーン２１と第３遊技ゾーン２３はエントランスホール１８の左側に仕切壁３５を隔てて隣接され、第２遊技ゾーン２２と第４遊技ゾーン２４はエントランスホール１８の右側に仕切壁３６を隔てて隣接されている。
【００６５】
しかして、第１〜４遊技ゾーン２１、２２、２３、２４には、それぞれ独自の景品交換所と事務室を備えており、第１遊技ゾーン２１には、景品交換、その他店内（第１遊技ゾーン２１内）放送等の業務を行う中央カウンター５１ａと、一般景品を陳列する陳列ケース５１ｂとからなる第１景品交換所５１と、略陳列ケース５１ｂの背面側に位置する第１ホール管理コンピュータ６１等が設置される第１事務室５５とが設けられている。
【００６６】
第１遊技ゾーン２１と同様に、第２遊技ゾーン２２には、中央カウンター５２ａと陳列ケース５２ｂとからなる第２景品交換所５２と、第２ホール管理コンピュータ６２等が設置される第２事務室５６とが設けられ、第３遊技ゾーン２３には、中央カウンター５３ａと陳列ケース５３ｂとからなる第３景品交換所５３と、第３ホール管理コンピュータ６３等が設置される第３事務室５７とが設けられ、第４遊技ゾーン２４には、中央カウンター５４ａと陳列ケース５４ｂとからなる第４景品交換所５４と、第４ホール管理コンピュータ６４等が設置される第４事務室５８とが設けられている。
【００６７】
そして、図１に示すように、各遊技ゾーン２１、２２、２３、２４の広さは、遊技機（パチンコ遊技機６またはスロットマシーン７）の設置台数に比例しており、つまり、第３遊技ゾーン２３が最も狭く、第４遊技ゾーン２４、第１遊技ゾーン２１、第２遊技ゾーン２２の順に広くなっていき、この最も広いエリアの第４遊技ゾーン２４には、さらにメインホール管理コンピュータ６５等が設置されるメイン事務室５９が併設されている。なお、１８ａ、１８ｂ、１８ｃ、１８ｄ、１８ｅ、１８ｆ、１８ｇ、１８ｈは、エントランスホール１８と各遊技ゾーン２１、２２、２３、２４との出入口である。
【００６８】
ここで、図５を参照しながら、第１〜４遊技ゾーン２１、２２、２３、２４の第１〜４ホール管理コンピュータ６１、６２、６３、６４及びメインホール管理コンピュータ６５の機能について説明する。図５は、第１〜４ホール管理コンピュータ６１、６２、６３、６４と、メインホール管理コンピュータ６５との関係を示す概略ブロック図である。
【００６９】
図５に示すように、各遊技ゾーン２１、２２、２３、２４におけるパチンコ島台２、３、スロット島台４、５の遊技情報は、上記した呼出ランプ４６により、対応するパチンコ遊技機６またはスロットマシーン７の稼働データとして収集され、各遊技ゾーン２１、２２、２３、２４を管理する各ホール管理コンピュータ６１、６２、６３、６４に逐次送信される。そして、各ホール管理コンピュータ６１、６２、６３、６４は、受信したパチンコ島台２、３、スロット島台４、５の遊技情報をコンピュータデータとして取り出して集計し、各遊技ゾーン２１、２２、２３、２４固有のデータとして計算処理する。
【００７０】
遊技情報としては、遊技機（パチンコ遊技機６、スロットマシーン７）の台番号、機種名、セーフ玉（メダル）数、アウト玉（メダル）数、大当り情報（大当り、確率変動、時短、ビッグボーナス、レギュラーボーナス等）、スタート情報、売上情報、稼働情報等が挙げられ、各ホール管理コンピュータ６１、６２、６３、６４は、これらの遊技情報に基づいて、各遊技ゾーン２１、２２、２３、２４における差玉（メダル）数、ベース（単位時間（例えば１分間）当たりの遊技者が遊技機で使った遊技媒体数に対する当該遊技機から払い出された遊技媒体数の割合）、大当り回数、確率変動回数、時短回数、稼働率、客単価、売上、粗利、営業割数、景品割数、利益率等、各種の遊技や営業に係わる情報を各遊技ゾーン２１、２２、２３、２４固有のデータとして計算処理する。
【００７１】
つまり、第１〜４遊技ゾーン２１、２２、２３、２４を管理する第１〜４ホール管理コンピュータ６１、６２、６３、６４は、従来の単一の交換率において使用されているホール管理コンピュータと同じ機能を有しており、従って、これらの第１〜４ホール管理コンピュータ６１、６２、６３、６４には、第１〜４遊技ゾーン２１、２２、２３、２４の交換率に基づく個別の計算プログラムがそれぞれ組み込まれている。
【００７２】
そして、各ホール管理コンピュータ６１、６２、６３、６４は、計算処理した各遊技ゾーン２１、２２、２３、２４のデータを、受信した遊技情報と共にメインホール管理コンピュータ６５に送信する。そして、メインホール管理コンピュータ６５は、受信したパチンコ島台２、３、スロット島台４、５の遊技情報と、各ホール管理コンピュータ６１、６２、６３、６４により計算処理された各遊技ゾーン２１、２２、２３、２４のデータとに基づいて、上記した各種の遊技や営業に係わる情報をホール１全体の統一データとして計算処理する。
【００７３】
次に、図６を参照しながら、遊技者が第１〜４遊技ゾーン２１、２２、２３、２４のパチンコ遊技機６、スロットマシーン７にて獲得したパチンコ玉、メダルを、各遊技ゾーン２１、２２、２３、２４の交換率に対応してパチンコ島台２、３、スロット島台４、５に設置された玉計数機８、９、メダル計数機１０、１１に返却したときに、これら玉計数機８、９、メダル計数機１０、１１から発行されるレシートについて説明する。
【００７４】
図６は、玉計数機８、９、メダル計数機１０、１１から発行されるレシートの内容を説明する説明図であって、（Ａ）は第１遊技ゾーン２１のパチンコ島台２に設置された玉計数機８、（Ｂ）は第２遊技ゾーン２２のパチンコ島台３に設置された玉計数機９、（Ｃ）は第３遊技ゾーン２３のスロット島台４に設置されたメダル計数機１０、（Ｄ）は第４遊技ゾーン２４のスロット島台５に設置されたメダル計数機１１から発行されるレシート８１、８２、８３、８４を示している。
【００７５】
玉計数機８は、遊技媒体がパチンコ玉であって交換率が等価交換（４円／１個、５０個で２００円の割合）に対応した第１レシート８１を発行する。図６（Ａ）に示すように、例えば、遊技者から返却されて計数したパチンコ玉数が４８２１個であった場合には、玉計数機８が発行する第１レシート８１には、景品玉数４８２１、景品数（２００円相当の特殊景品）９６、余り玉数２１とそれぞれ印字される。
【００７６】
つまり、玉計数機８は、返却されるパチンコ玉の交換率が等価交換であるので、計数したパチンコ玉数を常に５０で除する計算処理を行うようになっており（４８２１／５０＝９６余り２１）、これにより、特殊景品（２００円相当）の実質的な価値は、常に２００円（４円×５０個）となる。
【００７７】
そして、遊技者は、この第１レシート８１を、第１遊技ゾーン２１の第１景品交換所５１に持参してバーコード８５が読み取られることにより９６個の特殊景品（２００円相当）と交換すると共に、余り玉数２１個（４円×２１個）に相当する一般景品と交換する。これにより、第１遊技ゾーン２１の第１景品交換所５１から提供される特殊景品における一物一価が担保される。
【００７８】
玉計数機９は、遊技媒体がパチンコ玉であって交換率が６割交換（約２．４円／１個、８４個で２００円の割合）に対応した第２レシート８２を発行する。図６（Ｂ）に示すように、例えば、遊技者から返却されて計数したパチンコ玉数が上記と同じ４８２１個であった場合には、玉計数機９が発行する第２レシート８２には、景品玉数４８２１、景品数（２００円相当の特殊景品）５７、余り玉数３３とそれぞれ印字される。
【００７９】
つまり、玉計数機９は、返却されるパチンコ玉の交換率が６割交換であるので、計数したパチンコ玉数を常に８４で除する計算処理を行うようになっており（４８２１／８４＝５７余り３３）、これにより、特殊景品（２００円相当）の実質的な価値は、常に３３６円（４円×８４個）となる。
【００８０】
そして、遊技者は、この第２レシート８２を、第２遊技ゾーン２２の第２景品交換所５２に持参してバーコード８５が読み取られることにより５７個の特殊景品（２００円相当）と交換すると共に、余り玉数３３個（４円×３３個）に相当する一般景品と交換する。これにより、第２遊技ゾーン２２の第２景品交換所５２から提供される特殊景品における一物一価が担保される。ただし、この場合、遊技者は特殊景品の実質的な価値と特殊景品との差額１３６円（３３６−２００円）を交換手数料としてホール１に支払うことになる。
【００８１】
メダル計数機１０は、遊技媒体がメダルであって交換率が等価交換（２０円／１枚、１０枚で２００円の割合）に対応した第３レシート８３を発行する。図６（Ｃ）に示すように、例えば、遊技者から返却されて計数したメダル枚数が９６４枚であった場合には、メダル計数機１０が発行する第３レシート８３には、景品枚数９６４、景品数（２００円相当の特殊景品）９６、余り枚数４とそれぞれ印字される。
【００８２】
つまり、メダル計数機１０は、返却されるメダルの交換率が等価交換であるので、計数したメダル枚数を常に１０で除する計算処理を行うようになっており（９６４／１０＝９６余り４）、これにより、特殊景品（２００円相当）の実質的な価値は、常に２００円（２０円×１０枚）となる。
【００８３】
そして、遊技者は、この第３レシート８３を、第３遊技ゾーン２３の第３景品交換所５３に持参してバーコード８５が読み取られることにより９６個の特殊景品（２００円相当）と交換すると共に、余り枚数４枚（２０円×４枚）に相当する一般景品と交換する。これにより、第３遊技ゾーン２３の第３景品交換所５３から提供される特殊景品における一物一価が担保される。
【００８４】
メダル計数機１１は、遊技媒体がメダルであって交換率が７割交換（約１４．３円／１枚、１４枚で２００円の割合）に対応した第４レシート８４を発行する。図６（Ｄ）に示すように、例えば、遊技者から返却されて計数したメダル枚数が上記と同じ９６４枚であった場合には、メダル計数機１１が発行する第４レシート８４には、景品枚数９６４、景品数（２００円相当の特殊景品）６８、余り枚数１２とそれぞれ印字される。
【００８５】
つまり、メダル計数機１１は、返却されるメダルの交換率が７割交換であるので、計数したメダル枚数を常に１４で除する計算処理を行うようになっており（９６４／１４＝６８余り１２）、これにより、特殊景品（２００円相当）の実質的な価値は、常に２８０円（２０円×１４枚）となる。
【００８６】
そして、遊技者は、この第４レシート８４を、第４遊技ゾーン２４の第４景品交換所５４に持参してバーコード８５が読み取られることにより６８個の特殊景品（２００円相当）と交換すると共に、余り枚数１２枚（２０円×１２枚）に相当する一般景品と交換する。これにより、第４遊技ゾーン２４の第４景品交換所５４から提供される特殊景品における一物一価が担保される。ただし、この場合、遊技者は特殊景品の実質的な価値と特殊景品との差額８０円（２８０−２００円）を交換手数料としてホール１に支払うことになる。
【００８７】
なお、遊技者は、レシート８１、８２、８３、８４を景品と交換する場合、特殊景品と交換することなく、全て一般景品と交換してもよいし、所望の割合で特殊景品と一般景品に交換してもよい。また、レシート８１、８２、８３、８４は、他の記録媒体で代用してもよく、例えば、磁気カード、ＩＣカード、会員カード等に上記したデータ（レシートに印字されたデータ）を書き込んで使用するようにしてもよい。
【００８８】
＜効果＞
このように、本実施形態の遊技施設としてのホール１は、外壁、仕切壁３５、仕切壁３６、エントランスホール１８等で完全に独立した第１〜４遊技ゾーン２１、２２、２３、２４と、共用スペースとしてトイレ１２、休憩室１３、テナント１４、エントランスホール１８、エントランス通路１９、通路３７とを備えている。そして、各遊技ゾーン２１、２２、２３、２４では、設置される遊技機（パチンコ遊技機６またはスロットマシーン７）毎で、交換率の異なる営業を行うようになっている。
【００８９】
従って、このように構成されるホール１は、単一の店舗であっても、各遊技ゾーン２１、２２、２３、２４毎で、恰も異なる店舗のように営業を行うことが可能になるので、遊技者は、所望する遊技ゾーン、即ち所望する遊技機及び交換率を自由に選択して楽しむことができ、その結果、遊技者の利便性が極めて高くなる。
【００９０】
しかも、ホール１では、遊技者は、遊技媒体（パチンコ玉またはメダル）を持ったまま、自由に各ゾーン間を行き来することができないので、低交換率の遊技媒体を高交換率の遊技媒体のように偽って遊技したり景品と交換されてしまうことを防止でき、その結果、ホール１の収益性が向上する。
【００９１】
また、第１〜４遊技ゾーン２１、２２、２３、２４には、各遊技ゾーンに対応して第１〜４景品交換所５１、５２、５３、５４が設けられており、さらに各遊技ゾーンを管理する第１〜４ホール管理コンピュータ６１、６２、６３、６４も、各遊技ゾーンに対応して配置されている。
【００９２】
従って、このように構成されるホール１は、各遊技ゾーン毎の景品交換所５１、５２、５３、５４からから提供される特殊景品の実質的な価値は常に一定になり、その結果、第１〜４遊技ゾーン２１、２２、２３、２４の特殊景品における一物一価が担保され、営業上有益となる。
【００９３】
さらに、各遊技ゾーン毎に、各遊技ゾーンを管理するホール管理コンピュータ６１、６２、６３、６４も併設されているので、各遊技ゾーン単位で固有の各種の遊技や営業に係わる情報データを閲覧分析することが可能になり、その結果、各遊技ゾーン単位での営業戦略をたてることができる。
【００９４】
加えて、第１〜４ホール管理コンピュータ６１、６２、６３、６４を統括し、ホール１全体を統一的に管理するメインホール管理コンピュータ６５も設けられているので、これにより、ホール１全体の統一した各種の遊技や営業に係わる情報データを閲覧分析することが可能になり、その結果、各遊技ゾーン単位での営業戦略とは別に、ホール全体の包括的な営業戦略をたてることもできる。
【００９５】
即ち、本実施形態のホール１では、単一の店舗内の各遊技ゾーン２１、２２、２３、２４毎で遊技機別に交換率の異なる営業を行い、しかも各遊技ゾーンには、専用の景品交換所とホール管理コンピュータを備え、それ以外の施設は各遊技ゾーンの共用スペースとしている。従って、ホール１は、単一の店舗であっても、各遊技ゾーン２１、２２、２３、２４は、完全に独立した単独店舗のように営業を行うことができ、遊技者の利便性の向上ばかりでなく、ホール経営にとっても、例えば図７に示すようなことが可能になる。
【００９６】
図７は、各遊技ゾーン２１、２２、２３、２４の営業態様を説明するためのホール１を模式的に示した平面図である。図７に示すように、例えばホール１において、第１遊技ゾーン２１と第４遊技ゾーン２４は通常の営業を行ったままで、第２遊技ゾーン２２は新装開店等の改修工事を行い、第３遊技ゾーン２３は定休日として休業するようにしもよい。
【００９７】
これらの組み合わせは適宜変更すればよく、従って、従来のホールであれば、ホール内の一部の改修等であっても、営業できずに結局休業しなければならなかったものが、本発明の遊技施設としてのホール１では、各遊技ゾーン毎に個別に休業することが可能になるので、ホール経営にとって極めて使い勝手がよく、その結果、ホール１の収益性が極めて向上するという顕著な効果を奏する。
【００９８】
以上、本発明の実施形態に係わるホール１を図面に基づいて説明してきたが、具体的な構成は実施形態に示したものに限定されるものではなく、本発明の要旨を逸脱しない範囲における変更や追加などがあっても本発明に含まれる。
【００９９】
例えば、上述した実施形態においては、遊技ゾーンの数を４つで説明したが、この遊技ゾーンの数は限定することなく、適宜設定するようにすればよい。また、特殊景品の交換率も、上記に限定することなく、適宜設定すればよい。あるいは、各遊技ゾーン２１、２２、２３、２４の広さ、各遊技ゾーン２１、２２、２３、２４に設置する遊技機（パチンコ遊技機６、スロットマシーン７）の数や島台（パチンコ島台２、３、スロット島台４、５）の配置、または計数機（玉計数機８、９、メダル計数機１０、１１）の数や配置についても、上記に限定することなく、適宜設定すればよい。
【０１００】
また、第１遊技ゾーン２１と第３遊技ゾーン２３との境界を仕切る仕切壁３５と、第２遊技ゾーン２２と第４遊技ゾーン２４との境界を仕切る仕切壁３６は、取り付けや取り外しが容易な構成にしたり、例えば、折り畳み式にして端にスライド移動できるような構成にしてもよい。
【０１０１】
このような構成にすると、図８に示すように、遊技ゾーンを合体して新たに大きな遊技ゾーンを形成したり、逆に、遊技ゾーンに仕切壁を設けて遊技ゾーンの数を増やすことなどが容易にできるようになり、さらにホール１の使い勝手がよくなる。なお、図８は、各遊技ゾーン２１、２２、２３、２４の形成態様を説明するためのホール１を模式的に示した平面図であって、（Ａ）は仕切壁３５を取り除いたとき、（Ｂ）は仕切壁３５と仕切壁３６の両者を取り除いたときを示している。
【０１０２】
また、各遊技ゾーン２１、２２、２３、２４では、何れも遊技者に貸し出すパチンコ玉は１個４円、メダルは１枚２０円で説明したが、これは、限定することなく、例えばパチンコ玉は１個１円、メダルは１枚５円にて貸し出すようにしてもよく、さらに、各遊技ゾーン毎で、貸し出す金額を相違させるようにしてもよい。
【０１０３】
このように各遊技ゾーン毎で、貸し出す金額を相違させても、第１〜４遊技ゾーン２１、２２、２３、２４は完全に独立し、遊技者は、遊技媒体（パチンコ玉またはメダル）を持ったまま、自由に各ゾーン間を行き来することができないので、低貸出金額の遊技媒体（パチンコ玉は１個１円、メダルは１枚５円）を、高貸出金額の遊技媒体（パチンコ玉は１個４円、メダルは１枚２０円）のように偽って遊技したり景品と交換されてしまうことはない。そして、この場合であっても、当然ながら、各遊技ゾーン毎で、交換率を異ならせてもよい。
【０１０４】
あるいは、所定の遊技ゾーンは、禁煙コーナーとしたり、女性専用コーナーとして使用するようにしてもよい。また、遊技機は、上述した実施形態ではパチンコ遊技機、スロットマシーンで説明したが、これは限定するものではなく、例えばアレパチや雀球等の遊技機に本発明を適用するようにしてもよい。
【０１０５】
次に特許請求の範囲の構成と、本発明の実施形態との主な対応を説明する。
遊技ゾーンは、第１遊技ゾーン２１、第２遊技ゾーン２２、第３遊技ゾーン２３、第４遊技ゾーン２４に相当し、仕切部は、仕切壁３５、仕切壁３６、共用スペース（エントランスホール１８、エントランス通路１９、通路３７、トイレ１２、休憩室１３、テナント１４）に相当し、景品交換所は、第１景品交換所５１、第２景品交換所５２、第３景品交換所５３、第４景品交換所５４に相当し、遊技施設は、ホール１に相当し、ホール管理コンピュータは、第１ホール管理コンピュータ６１、第２ホール管理コンピュータ６２、第３ホール管理コンピュータ６３、第４ホール管理コンピュータ６４に相当し、統括ホール管理コンピュータは、メインホール管理コンピュータ６５に相当し、パチンコ遊技機は、パチンコ遊技機６に相当し、回胴式遊技機は、スロットマシーン７に相当する。
【符号の説明】
【０１０６】
１、Ｐ１、Ｐ２０…ホール（遊技施設）、  ２、３、Ｐ２、Ｐ３…パチンコ島台、
４、５、Ｐ４、Ｐ５…スロット島台、  ６、Ｐ６…パチンコ遊技機、
７、Ｐ７…スロットマシーン、  ８、９、Ｐ８、Ｐ９…玉計数機、
１０、１１、Ｐ１０、Ｐ１１…メダル計数機、  １２、Ｐ１２…トイレ、
１３、Ｐ１３…休憩室、  １４、Ｐ１４…テナント、
Ｐ１５…事務室、  Ｐ１６…景品交換所、
１３ａ、１４ａ、１７ａ、１７ｂ、１７ｃ、１７ｄ、１７ｅ、１７ｆ、１７ｇ、Ｐ１７、１８ａ、１８ｂ、１８ｃ、１８ｄ、１８ｅ、１８ｆ、１８ｇ、１８ｈ…出入口、
１８…エントランスホール、  １９…エントランス通路、
２１、Ｐ２１…第１遊技ゾーン、  ２２、Ｐ２２…第２遊技ゾーン、
２３、Ｐ２３…第３遊技ゾーン、  ２４、Ｐ２４…第４遊技ゾーン、
Ｐ２５…表示パネル、  ２６…外枠、
２７…内枠、  ２８…遊技盤、
２９…ガラス扉枠、  ３０…皿ユニット、
３１…打球操作ハンドル、  ３２…打球供給皿、
３３…余剰玉受皿、  ３４…演出ボタン、
３５、３６…仕切壁、  ３７…通路、
４１…台間ユニット、  ４２…妻板、
４３…カウンター、  ４４…欄間、
４５…幕板、  ４６…呼出ランプ、
４７…代表ランプ、  ４８…腰板、
４９…幅木、  ５１…第１景品交換所、
５１ａ、５２ａ、５３ａ、５４ａ…中央カウンター、
５１ｂ、５２ｂ、５３ｂ、５４ｂ…陳列ケース、  ５２…第２景品交換所、
５３…第３景品交換所、  ５４…第４景品交換所、
５５…第１事務室、  ５６…第２事務室、
５７…第３事務室、  ５８…第４事務室、
５９…メイン事務室、  ６１…第１ホール管理コンピュータ、
６２…第２ホール管理コンピュータ、  ６３…第３ホール管理コンピュータ、
６４…第４ホール管理コンピュータ、  ６５…メインホール管理コンピュータ、
７０…装飾パネル、  ７１ａ、７１ｂ、７１ｃ…リール、
７２…本体枠、  ７３…前扉、
７４ａ、７４ｂ、７４ｃ…表示窓、  ７５…メダル投入口、
７６…スタートレバー、  ７７…ストップスイッチ、
７８…切替スイッチ、  ７９…投入スイッチ、
８０…メダル貯留皿、  ８１…第１レシート、
８２…第２レシート、  ８３…第３レシート、
８４…第４レシート、  ８５…バーコード
【図１】
2014018419.tif 000003
【図２】
2014018419.tif 000004
【図３】
2014018419.tif 000005
【図４】
2014018419.tif 000006
【図５】
2014018419.tif 000007
【図６】
2014018419.tif 000008
【図７】
2014018419.tif 000009
【図８】
2014018419.tif 000010
【図９】
2014018419.tif 000011
【図１０】
2014018419.tif 000012